(57)【特許請求の範囲】
【請求項１】
口部を有する容器本体、口部の開口を覆い、高周波誘導加熱により口部の上縁部に溶着されている密封フィルム、密封フィルム上から口部に螺合したキャップからなる容器であって、密封フィルムが外周部にタブ部を有し、キャップと螺合するように口部の外周面に設けられたネジ部のネジ谷部の上端部にタブ部の先端部が重なり、タブ部と口部の上端部との間に空間が形成されており、容器本体の口部とネジ部との間に環状リブが形成されていない容器において、
容器の開封時に、キャップを口部から外した後、密封フィルムのタブ部を口部に押し付けたときに、タブ部と口部の上端部との間に形成された空間内に、タブ部が落ち込んで変形してタブ部の先端部がネジ谷部から浮き上がるように、該ネジ部のネジ谷部の上端部にタブ部の先端部が重なり且つタブ部と口部の上端部との間に空間が形成されている容器。
【発明の詳細な説明】
【０００１】
【発明の属する技術分野】
本発明は、高周波誘導加熱により密封フィルムを容器本体に溶着した容器に関する。
【０００２】
【従来の技術】
図４に示すように、従来、マヨネーズ、ケチャップ等の食品を収容した容器１として、合成樹脂製の容器本体２の開口３を覆うように密封フィルム１０ａが溶着され、その上からキャップ２０が容器本体２の口部４に螺合したものが使用されている（特公昭６１−１２８９号公報等）。
【０００３】
ここで、密封フィルム１０ａは、図５に示すようにアルミニウム箔等の金属箔１１の下面に合成樹脂フィルム１２をラミネートしたものであり、合成樹脂フィルム１２にはデコレーション用に星形等の吐出孔１３が形成されている。
【０００４】
この容器１の密封方法としては、密封フィルム１０ａで開口３を覆い、その上からキャップ２０を被せて口部４に螺合し、キャップ２０によって密封フィルム１０ａを口部４の上縁部５に押さえ付けた状態で高周波誘導加熱する。これにより金属箔１１が加熱され、その熱で密封フィルム１０ａの合成樹脂フィルム１２と口部４の上縁部５とが溶着する。
【０００５】
一方、容器１の開封時には、キャップ２０を口部４から外した後、密封フィルム１０ａの金属箔１１をつまみ上げ、剥離除去する。
【０００６】
また、同様の容器であって、開封時の金属箔１１のつまみ上げを容易にするため、図６に示すように外周部の一部において金属箔１１が突出したタブ部１４を形成した密封フィルム１０ｂを使用し、口部４には上縁部５とネジ部６との間に環状リブ７を設け、図７に示すように密封時にタブ部１４が環状リブ７に架かるようにし、開封時には、このタブ部１４をつまみ上げるようにしたものも知られている（実用新案登録第３０４３３６７号等）。
【０００７】
【発明が解決しようとする課題】
しかしながら、通常、高周波誘導加熱後、密封フィルムが熱収縮するため、タブ部１４を有する密封フィルム１０ｂを使用した場合でも、タブ部１４が環状リブ７の頂面７ｃに密着した状態になりやすく、更にタブ部１４がノズル壁８にまで密着した状態になり易い。そのため容器の開封時に密封フィルムのタブ部をつまみ難いという問題があった。
【０００８】
さらに、単に環状リブ７を形成すると、容器本体２をブロー成型により製造する場合には、型抜き性が低下するという問題もあった。
【０００９】
そこで、本発明は、高周波誘導加熱により密封フィルムを容器本体に溶着した容器において、容器の開封時の密封フィルムのつまみ易さをを容易にし、かつ容器本体のブロー成型時の型抜き性が損なわれないようにすることを目的とする。
【００１０】
【課題を解決するための手段】
本発明者は、図２のようにタブ部１４を有する密封フィルム１０ｃを用いて容器本体２を密封するにあたり、タブ部１４が口部４のネジ谷部に重なるようにすると、開封時にタブ部１４を口部４に押し付けることによりタブ部が変形し、容易にタブ部１４をつまむことができ、したがって環状リブ７の形成も不要となることを見出した。
【００１１】
即ち、本発明は、口部を有する容器本体、
口部の開口を覆い、高周波誘導加熱により口部の上縁部に溶着されている密封フィルム、
密封フィルム上から口部に螺合したキャップ
からなる容器であって、
密封フィルムが外周部にタブ部を有し、キャップと螺合するように口部の外周面に設けられたネジ部のネジ谷部の上端部にタブ部の先端部が重なり、タブ部と口部の上端部との間に空間が形成されている容器を提供する。
【００１２】
【発明の実施の形態】
以下、図面を参照しつつ本発明を詳細に説明する。なお、各図中、同一符号は同一又は同等の構成要素を表している。
【００１３】
図１は、本発明の一実施例の容器１Ａの断面図である。
【００１４】
この容器１Ａは、口部４の上端に開口３を有する合成樹脂製の容器本体２と、この開口３を覆い、口部４の上縁部５に高周波誘導加熱により溶着した密封フィルム１０ｃ及びデコレーション用フィルム１５と、それらの上から口部に着脱自在に螺合したキャップ２０からなっている。
【００１５】
この容器本体２には、マヨネーズ、ケチャップ、ソース、マスタード、シロップ等の任意の内容物が充填されている。容器本体２は、その開封後にこれらの内容物をスクウィズにより絞り出すことができるよう、ポリエチレン、ポリプロピレン、ポリエチレンテレフタレート等から形成される。この他、容器本体２は、ミソやインスタントコーヒーのように内用物をスプーン等で計量し、取出す場合に、ガラス等から形成してもよい。
【００１６】
容器本体２の口部４の外周面には、キャップ２０と螺合するネジ部６が設けられている。
【００１７】
容器１Ａで用いる密封フィルム１０ｃは、図２に示したように、アルミニウム等の金属箔１１の下面に、ポリエチレン、ＰＥＴ等の合成樹脂フィルム１２をラミネートし、さらに剥離剤を表面コートしたものからなっている。また、図３に示したように、デコレーション用フィルム１５は、ポリエチレン、ＰＥＴ等の合成樹脂からなり、必要に応じて、デコレーション用に星形等の吐出孔１３が形成されている。
【００１８】
密封フィルム１０ｃには、その外周部に、突出したタブ部１４が形成されており、このタブ１４と口部４の上端部との間に空間Ａが形成されている。
【００１９】
ここで、タブ部１４とネジ谷部６ａとの重なり量Ｌ1 はタブ部１４のつまみ易さの点から、好ましくは２．０ｍｍ〜１０．０ｍｍとする。
【００２０】
この容器１Ａの密封方法としては、まず、キャップ２０内に密封フィルム１０ｃを、金属箔１１がキャップ２０の天面側に位置するように組み込み、次にデコレーション用フィルム１５を組み込む、次いでそのキャップ２０を、内容物が充填された容器本体２の口部４に螺合し、キャップ２０によって密封フィルム１０ｃとデコレーション用フィルム１５を口部４の上縁部５に押さえ付けた状態とする。このように密封フィルム１０ｃとデコレーション用フィルム１５とキャップ２０とを口部４上に載置することにより、密封フィルム１０ｃとデコレーション用フィルム１５の位置ズレを防止することができる。
【００２１】
次いで高周波誘導加熱により金属箔１１を加熱し、その熱で密封フィルム１０ｃとデコレーション用フィルム１５とを疑似接着させ、デコレーション用フィルム１５と口部４の上縁部５とを溶着する。
【００２２】
一方、容器１Ａの開封時には、キャップ２０を口部４から外した後、密封フィルム１０ｃのタブ部１４を矢印Ｘのように口部４に押し付ける。すると、タブ部１４と口部４の上端部との間に形成された空間Ａ内に、タブ部１４が落ち込むように変形してタブ部１４の先端部１４ａがネジ谷部６ａから浮き上がり、容易につまむことができ、剥離除去することができる。さらに、密封フィルム１０ｃを押し付ける口部４の上端部を内側に凸とすることで、より効果的にタブ部１４の先端部１４ａを浮き上がらせることができる。
【００２３】
本発明の容器は、上述の態様の他に、種々の態様をとることができる。例えば、デコレーション用フィルム１５の合成樹脂フィルムには、星形等の吐出孔１３に代えて、放射状のミシン目を形成してもよい。また、吐出孔１３をデコレーション用に特別の形状にすることなく、容器本体２の開口３の内径よりもやや小さい径の円形としてもよい。さらに、上述の態様では、密封フィルム１０ｃとデコレーション用フィルム１５とを別フィルムとして用いているが、密封フィルム１０ｃとデコレーション用フィルム１５とを一体のフィルムに製作したものを用い、開封時には密封フィルム１０ｃだけが剥離除去されるようにしてもよい。
【００２４】
本発明の容器の用途としては、マヨネーズやケチャップ等の食品の容器の他に、内容物に対してバージン性やバリア性が要求される種々のチューブ容器、ソフトラミネート容器、インスタントコーヒー等のガラス容器等として使用することができる。
【００２５】
【発明の効果】
本発明によれば、高周波誘導加熱により密封フィルムを容器本体に溶着した容器において、容器の開封時に密封フィルムのタブ部を容器本体の口部に押し付けることによりタブ部が変形するので、タブ部を容易につまめるようになり、したがって、密封フィルムの剥離除去が容易となる。
【００２６】
また、容器本体の口部に環状リブを形成しないので、容器本体をブロー成型する場合に、その型抜き性が、環状リブによって損なわれることもない。
【図面の簡単な説明】
【図１】  本発明の容器の断面図である。
【図２】  密封フィルムの斜視図である。
【図３】  デコレーション用フィルムの斜視図である。
【図４】  従来の容器の断面図である。
【図５】  密封フィルムの斜視図である。
【図６】  密封フィルムの斜視図である。
【図７】  従来の容易の開口付近の断面図である。
【符号の説明】
１Ａ…容器、  ２…容器本体、  ３…開口、  ４…口部、  ５…上縁部、  ６…ネジ部、  ６ａ…ネジ谷部、  １０ｃ…密封フィルム、  １１…金属箔、  １２…合成樹脂フィルム、  １３…吐出孔、  １４…タブ部、  １４ａ…タブ部の先端部、  １５…デコレーション用フィルム、  ２０…キャップ、  Ａ…空間
【図１】
0004144250.tif 000002
【図２】
0004144250.tif 000003
【図３】
0004144250.tif 000004
【図４】
0004144250.tif 000005
【図５】
0004144250.tif 000006
【図６】
0004144250.tif 000007
【図７】
0004144250.tif 000008